(57)【要約】【課題】ネジ止めを壁パネルに対するものに限ると共に、天井パネルの縁部と壁パネルの上端部とを接続のために正確に整合させなくとも両者の接続を適切になせるようにする。【解決手段】雌パーツ１は、壁パネル４の巾方向に亘る長さを備えると共に、壁パネル４の上端部４０にネジ止めされる雌下部１０と、一対の壁体１１３、１１３を備えた雌上部１１とを備えている。雄パーツ２は、天井パネル３に備えられた掛合穴３１に下方から入れ込まれ入れ込みきられた位置でこの掛合穴３１に弾発掛合される掛合部２０２を備えた雄上部２０と、雌パーツ１の雌上部１１を構成する一対の壁体１１３、１１３間に上方から入れ込まれ入れ込みきられた位置でこの壁体１１３側に形成された被掛合部１１５に弾発掛合される掛合部２１２を備えた雄下部２１とを備えている。【選択図】図１
2008202338.tif 000002
【特許請求の範囲】
【請求項１】
浴室ユニットにおける天井パネルと壁パネルとの接続構造であって、
雌パーツと雄パーツとを備えており、
雌パーツは、壁パネルの巾方向に亘る長さを備えると共に、
壁パネルの上端部にネジ止めされる雌下部と、
一対の壁体を備えた雌上部とを備えており、
雄パーツは、
天井パネルに備えられた掛合穴に下方から入れ込まれ入れ込みきられた位置でこの掛合穴に弾発掛合される掛合部を備えた雄上部と、
雌パーツの雌上部を構成する一対の壁体間に上方から入れ込まれ入れ込みきられた位置でこの壁体側に形成された被掛合部に弾発掛合される掛合部を備えた雄下部とを備えていることを特徴とする接続構造。
【請求項２】
天井パネルの縁部には、その天井面に対して略垂直に立ち上がる立ち上がり部と、この立ち上がり部の上端から側方に向けて略水平に突き出すと共に掛合穴を備えたフランジ部とが形成されており、
雌パーツの雌下部には、壁パネルにおける浴室内側の面への添装板部が備えられており、
この添装板部の外面に、雌パーツの雌上部と雄パーツの雄下部とを組み合わせたときに前記立ち上がり部の外面に弾性変形しながら接する外側ひれ部が備えられていることを特徴とする請求項１記載の接続構造。
【請求項３】
雌パーツの雌下部には、添装板部との間に壁パネルのはめ入れ隙間を開けるようにして外側板部が備えられていると共に、
添装板部の内面に、このはめ入れ隙間に壁パネルの上端部をはめ込んだときにこの壁パネルにおける浴室内側の面に弾性変形しながら接する内側ひれ部が備えられていることを特徴とする請求項２記載の接続構造。
【請求項４】
雌パーツの雌下部を構成する添装板部の外面側に、その長さ方向に亘って、この添装板部を貫通して壁パネルにネジ付けられるネジの先端の位置決め用溝が形成してあることを特徴とする請求項１〜請求項３のいずれか１項に記載の接続構造。
【発明の詳細な説明】
【技術分野】
【０００１】
この発明は、組み合わされて浴室を構成する、浴室ユニットにおける天井パネルと壁パネルとを接続させるための構造に関する。
【背景技術】
【０００２】
浴室ユニットにおける天井パネルと壁パネルとを接続させるための構造として、特許文献１に示される構造がある。
【０００３】
この構造にあっては、天井パネルの周縁に設けられた起立片にネジ付けられると共に、壁面パネルの上端に取り付けられた壁面取付部材にネジ付けられる結合部材を介して天井パネルと壁面パネルとを接続させるようにしている。このため、かかる接続に際しては、先ず天井パネルに結合部材をネジ止めし、この後、このように天井パネルにネジ止めされた結合部材のねじ挿通孔に壁面パネルの壁面取付部材のねじ挿通孔を整合させながら両孔に固定ネジを通してこの結合部材と壁面取付部材とをネジ止めすることを要していた。
【特許文献１】特開２００６−９３７４号公報
【発明の開示】
【発明が解決しようとする課題】
【０００４】
この発明が解決しようとする主たる問題点は、この種の接続構造において、ネジ止めを壁パネルに対するものに限ると共に、天井パネルの縁部と壁パネルの上縁部とを接続のために正確に整合させなくとも両者の接続を適切になせるようにして、この接続作業の一層の容易化を図れるようにする点にある。
【課題を解決するための手段】
【０００５】
前記課題を達成するために、この発明にあっては、接続構造を、以下の（１）〜（４）の構成を備えたものとした。
（１）浴室ユニットにおける天井パネルと壁パネルとの接続構造であって、
（２）雌パーツと雄パーツとを備えており、
（３）雌パーツは、壁パネルの巾方向に亘る長さを備えると共に、
壁パネルの上端部にネジ止めされる雌下部と、
一対の壁体を備えた雌上部とを備えており、
（４）雄パーツは、
天井パネルに備えられた掛合穴に下方から入れ込まれ入れ込みきられた位置でこの掛合穴に弾発掛合される掛合部を備えた雄上部と、
雌パーツの雌上部を構成する一対の壁体間に上方から入れ込まれ入れ込みきられた位置でこの壁体側に形成された被掛合部に弾発掛合される掛合部を備えた雄下部とを備えている。
【０００６】
かかる構成によれば、天井パネルに形成された掛合穴に雄パーツの上部をはめ込むことでワンタッチでこの天井パネルに雄パーツを取り付けることができる。そして、壁パネルに雌下部をネジ止めされてこの壁パネルの上端部に取り付けられた雌パーツの雌上部を構成する一対の壁体間に雄下部を単純に入れ込みきることでワンタッチで天井パネルと壁パネルの上縁部とを接続させることができる。これによって、より容易かつ適切に浴室を構成させることができる。
【０００７】
前記天井パネルの縁部には、その天井面に対して略垂直に立ち上がる立ち上がり部と、この立ち上がり部の上端から側方に向けて略水平に突き出すと共に掛合穴を備えたフランジ部とが形成されており、
雌パーツの雌下部には、壁パネルにおける浴室内側の面への添装板部が備えられており、
この添装板部の外面に、雌パーツの雌上部と雄パーツの雄下部とを組み合わせたときに前記立ち上がり部の外面に弾性変形しながら接する外側ひれ部を備えさせておくこともある。
【０００８】
このようにした場合、天井パネルのフランジ部に取り付けられた雄パーツの雄下部に雌パーツの雌上部を組み合わせたときにこれと同時に、添装板部と天井パネルとの間を水密にシールさせることができる。
【０００９】
前記雌パーツの雌下部には、添装板部との間に壁パネルのはめ入れ隙間を開けるようにして外側板部が備えられていると共に、
添装板部の内面に、このはめ入れ隙間に壁パネルの上端部をはめ込んだときにこの壁パネルにおける浴室内側の面に弾性変形しながら接する内側ひれ部を備えさせておくこともある。
【００１０】
このようにした場合、雌下部に壁パネルの上縁部を納めることで、添装板部と壁パネルの浴室内側の面との間を水密にシールさせることができる。
【００１１】
前記雌パーツの雌下部を構成する添装板部の外面側に、その長さ方向に亘って、この添装板部を貫通して壁パネルにネジ付けられるネジの先端の位置決め用溝を形成させておくこともある。
【００１２】
このようにした場合、雌パーツの雌下部に壁パネルの上縁部を入れ込ませた後、この位置決め用溝を利用してこの位置決め用溝の形成位置で雌パーツを壁パネルにネジ止めさせることができる。
【発明の効果】
【００１３】
この発明にかかる接続構造によれば、ネジ止めは雌パーツの雌下部と壁パーツの上縁部との一箇所であり、また、天井パネルの縁部に雄上部をもって取り付けられた雄パーツの雄下部を雌パーツの雌上部を構成する一対の壁体間に入れ込むことにより天井パネルと壁パネルとを接続でき、天井パネルの縁部と壁パネルの上縁部とを正確に整合させなくとも両者の接続を適切になすことができる。これにより、この接続作業を一層の容易になすことができる。
【発明を実施するための最良の形態】
【００１４】
以下、図１〜図８に基づいて、この発明を実施するための最良の形態について説明する。
【００１５】
なお、ここで図１は、天井パネル３に取り付けた雄パーツ２と壁パネル４に取り付けた雌パーツ１とを分離させた状態として、図２は両者を組み合わせて天井パネル３と壁パネル４とを接続させ合わせた様子を、それぞれ示している。また、図３および図４は、接続構造を構成する雌パーツ１を、また、図５〜図８は、接続構造を構成する雄パーツ２を、それぞれ示している。
【００１６】
この実施の形態にかかる接続構造は、組み合わされて浴室を構成する浴室ユニットにおける天井パネル３と壁パネル４とを接続させるために用いられるものである。
【００１７】
かかる接続構造は、互いに組み合わされることで、前記天井パネル３の縁部３０と壁パネル４の上端部４０とを接続させる、雌パーツ１と雄パーツ２とを備えている。
【００１８】
雌パーツ１は、壁パネル４の巾方向に亘る長さを備えると共に、壁パネル４の上端部４０にネジ止めされる雌下部１０と、一対の壁体１１３、１１３を備えた雌上部１１とを備えている。この実施の形態では、雌パーツ１は巾方向の断面をいずれの箇所においてもほぼ同一とした長尺体として構成されており、このいずれの箇所においても雌下部１０と雌上部１１を備えている。かかる雌パーツ１は、典型的には、プラスチックの押し出し成形によって構成される。このように雌パーツ１を成形した場合、かかる雌パーツ１はその雌下部１０が取り付けられる壁パネル４の巾寸法に合わせた長さに切断されて利用に供される。
【００１９】
雌パーツ１は、その上下方向略中程の位置に、その使用状態において水平方向に板面を沿わせる基板部１２を備えている。この基板部１２の上側に前記雌上部１１が形成され、この基板部１２の下側に雌下部１０が形成されている。
【００２０】
この実施の形態にあっては、雌パーツ１の雌下部１０は、壁パネル４における浴室内側の面４１への添装板部１０１と、この添装板部１０１との間に壁パネル４のはめ入れ隙間１０３を開けるようにして形成された外側板部１０２とを、前記基板部１２の下側に形成させることで構成されている。具体的には、添装板部１０１は垂直方向に板面をほぼ沿わせるように形成され、基板部１２の長さ方向に沿った一方の縁部に添装板部１０１の上端を一体に連接させて下方に突き出すように構成されている。また、外側板部１０２も垂直方向に板面をほぼ沿わせるように形成され、基板部１２の長さ方向に沿った他方の縁部に外側板部１０２の上端を一体に連接させて下方に突き出すように構成されている。
【００２１】
この実施の形態にあっては、壁パネル４は、パネル主体４２と、このパネル主体４２の一面を覆う化粧板４３とから構成されている。この化粧板４３の表面が壁パネル４における浴室内側の面４１となる。化粧板４３の上部４３１は、パネル主体４２の上端面４２１との間にやや隙間を開けてこのパネル主体４２の一面側からパネル主体４２の上端面４２１上に水平向きに屈曲回り込まされている。そして、この実施の形態にあっては、かかる壁パネル４の化粧板４３の上部４３１の外面が基板部１２の下面に突き当てられる位置まで、雌パーツ１の雌下部１０を構成する添装板部１０１と外側板部１０２との間に壁パネル４の上端部４０を入れ込ませて、この壁パネル４の上端部４０に雌パーツ１を取り付けさせるようにしている。（図１）
【００２２】
この実施の形態にあっては、外側板部１０２の下端よりも添装板部１０１の下端が下方に位置されるようになっている。
【００２３】
また、この添装板部１０１の外面には、雌パーツ１の雌上部１１と雄パーツ２の雄下部２１とを組み合わせたときに後述する天井パネル３の縁部３０に形成された立ち上がり部３３の外面３３１に弾性変形しながら接する外側ひれ部１０４が備えられている。
【００２４】
また、この添装板部１０１の内面には、前記はめ入れ隙間１０３に壁パネル４の上端部４０をはめ込んだときにこの壁パネル４における浴室内側の面４１に弾性変形しながら接する内側ひれ部１０５が備えられている。
【００２５】
この実施の形態にあっては、外側板部１０２は、その先端側の内側に壁パネル４の外面に接する垂直面１０２ａを有している。この垂直面１０２ａから下方は添装板部１０１から下方に向かうに連れて次第に離れ出す向きに傾斜した傾斜面１０２ｂとなっており、この傾斜面１０２ｂによって雌下部１０内に壁パネル４の上端部４０を入れ込みやすくさせている。一方、添装板部１０１は、その内側にその先端側を除いて壁パネル４の浴室内側の面４１に接する垂直面１０１ａを有している。添装板部１０１の先端側の内面はこの垂直面１０１ａよりも外側に位置されておりこの垂直面１０１ａとの間に段差面１０１ｂが形成されている。それと共に、この添装板部１０１の先端に基部を一体に接合させるようにして添装板部１０１の内面側に内側ひれ部１０５が備えられている。この内側ひれ部１０５はその先端に向かうに連れて次第に添装板部１０１の内面から離れ出すように傾斜状に突き出している。
【００２６】
雌パーツ１の雌下部１０に壁パネル４の上端部４０を入れ込ませると内側ひれ部１０５は弾性変形してこの壁パネル４の浴室内側の面４１に圧接される。これにより、添装板部１０１と壁パネル４の浴室内側の面４１との間を水密にシールさせることができるようになっている。
【００２７】
この例では、このように弾性変形された内側ひれ部１０５は前記段差面１０１ｂに先端を向けてこの段差の範囲内に納まるようになっている。（図１）
【００２８】
また、この実施の形態にあっては、外側ひれ部１０４は、添装板部１０１における外面であって、前記段差面１０１ｂの形成されたレベルと略同じレベルとなる位置に上端を一体に接合させて下方に向けて突き出すように構成されている。この外側ひれ部１０４もその先端に向かうに連れて次第に添装板部１０１の外面から離れ出すように傾斜状に突き出されている。
【００２９】
後述する天井パネル３のフランジ部３４に取り付けられた雄パーツ２の雄下部２１に雌パーツ１の雌上部１１を組み合わせると外側ひれ部１０４は弾性変形してこの天井パネル３の立ち上がり部３３の外面３３１に圧接される。これにより、添装板部１０１と天井パネル３との間を水密にシールさせることができるようになっている。
【００３０】
雌パーツ１をプラスチックの押し出し成形によって形成させる場合には、雌パーツ１における内側ひれ部１０５と外側ひれ部１０４以外の箇所を構成する比較的硬質のプラスチックと、この内側ひれ部１０５と外側ひれ部１０４を構成する軟質のプラスチックとを一緒に押し出すことで内側ひれ部１０５と外側ひれ部１０４とを容易且つ適切に添装板部１０１に備えさせることができる。
【００３１】
また、この実施の形態にあっては、雌パーツ１の雌下部１０を構成する添装板部１０１の外面側に、その長さ方向に亘って、この添装板部１０１を貫通して壁パネル４にネジ付けられるネジＮの先端の位置決め用溝１０６が形成してある。
【００３２】
具体的には、この実施の形態にあっては、添装板部１０１の上端と外側ひれ部１０４の基部との間に、雌パーツ１の長さ方向に亘って断面略Ｖ字状をなす位置決め用溝１０６が形成してある。
【００３３】
これにより、この実施の形態にあっては、雌パーツ１の雌下部１０に壁パネル４の上端部４０を入れ込ませた後、この位置決め用溝１０６を利用してこの位置決め用溝１０６の形成位置で雌パーツ１を壁パネル４にネジ止めさせることができる。
【００３４】
また、この実施の形態にあっては、雌上部１１は、基板部１２の長さ方向に沿った一方の縁部に亘ってこの縁部から上方に突き出す厚肉条部１１１と、この厚肉条部１１１との間に後述する雄パーツ２の雄下部２１の入れ込み隙間を開けて基板部１２の長さ方向に沿った他方の縁部に亘ってこの縁部から上方に突き出す薄肉条部１１２とを、この基板部１２の上部に形成させることで構成されている。
【００３５】
この厚肉条部１１１の内面と薄肉条部１１２の内面とが、前記一対の壁体１１３、１１３として機能する。厚肉条部１１１の肉厚内には雌パーツ１の長さ方向に亘って肉抜き穴１１４が形成されている。また、この実施の形態にあっては、かかる厚肉条部１１１の外面と外側板部１０２の基部側の外面との間の間隔が、天井パネル３の後述する立ち上がり部３３の外面３３１とこの外面３３１に内面３５１を向き合わせる垂下部３５のこの内面３５１との間の間隔とほぼ等しくなるようにしてある。
【００３６】
この実施の形態にあっては、かかる一対の壁体１１３、１１３側にそれぞれ、この一対の壁体１１３、１１３間に上方から入れ込みきられた雄パーツ２の雄下部２１に形成された掛合部２１２に掛合される被掛合部１１５が形成されている。
【００３７】
この実施の形態にあっては、かかる被掛合部１１５は雌パーツ１の長さ方向に沿って長く続く隆起部１１５ａとして構成されている。この隆起部１１５ａは基板部１２の側を向いた掛合面１１５ｂと上方に向いた傾斜面１１５ｃとを頂部１１５ｄを挟んで備えている。一対の隆起部１１５ａ、１１５ａ間の寸法は傾斜面１１５ｃによってこれらの頂部１１５ｄに向かって次第に狭まり、頂部１１５ｄを越えた位置で再び広がる。雄パーツ２の掛合部２１２は後述するように一対の板体２１１、２１１の先端部の外側に形成されたこの板体２１１の長さ方向に長く続く隆起部として構成されていると共に、この一対の板体２１１、２１１の隆起部の頂部２１２ｃ間の間隔は、雌上部１１の一対の隆起部１１５ａ、１１５ａの頂部１１５ｄ間の間隔よりやや広くなっている。雄下部２１の一対の隆起部も上方を向いた掛合面２１２ｂと下方を向いた傾斜面２１２ａとを頂部２１２ｃを挟んで備えており、雌上部１１内に雄下部２１を押し込むと両者の傾斜面１１５ｃ、２１２ａが接し合い、雌上部１１の一対の壁体１１３、１１３間の間隔および雄下部２１の一対の板体２１１、２１１間の間隔の双方又はいずれか一方が弾性的に次第に変化され、雄下部２１を入れ込みきった位置での弾性復帰によって雄下部２１の掛合面２１２ｂと雌上部１１の掛合面１１５ｂとが掛合されるようになっている。
【００３８】
一方、雄パーツ２は、雄上部２０と雄下部２１とを備えている。この実施の形態にあっては、雄パーツ２は、その取り付け状態において水平方向に板面を沿わせる細長板体２２の上面側に前記雄上部２０を、またその下面側に前記雄下部２１を備えている。
【００３９】
雄上部２０は、天井パネル３に備えられた掛合穴３１に下方から入れ込まれ入れ込みきられた位置でこの掛合穴３１に弾発掛合される掛合部２０２を備えている。
【００４０】
この実施の形態にあっては、天井パネル３は、略水平の天井面を構成する主体部３２の縁部３０に、この天井面に対して略垂直に立ち上がる立ち上がり部３３と、この立ち上がり部３３の上端から側方に向けて略水平に突き出すフランジ部３４と、このフランジ部３４の外端から下方に突き出す垂下部３５とを備えている。そして、このうちのフランジ部３４に雄上部２０の掛合穴３１を備えている。
【００４１】
前記細長板体２２は、この天井パネル３の立ち上がり部３３の外面３３１と垂下部３５の内面３５１との間に納まる巾を持つように構成されている。この実施の形態にあっては、このように構成された細長板体２２の両端にそれぞれ雄上部２０が形成されている。かかる雄上部２０は、筒下端を細長板体２２の上面に一体に接合させると共に筒上端を開放させた円筒状体２０１の直径方向両側にそれぞれ掛合部２０２を形成させることで構成されている。この円筒状体２０１の筒内郭形状は略方形状をなすように構成されており、掛合部２０２はこの方形状の辺となる箇所に形成されている。（図８）
【００４２】
かかる掛合部２０２は、円筒状体２０１の筒軸方向に沿った一対の縦割溝２０３、２０３と、この一対の縦割溝２０３、２０３の筒下端側の溝端間に亘る横割溝２０４によって区分された弾性片２０５の下端外面に形成されている。かかる掛合部２０２は上方を向いた傾斜面２０２ａと下方を向いた掛合面２０２ｂとを頂部２０２ｃを挟んで備えた突部として構成されている。一対の掛合部２０２の頂部２０２ｃ間の寸法は、前記掛合穴３１の穴径よりもやや大きい。天井パネル３の立ち上がり部３３と垂下部３５の間に下方から雄パーツ２を入れ込みフランジ部３４に形成された掛合穴３１に雄上部２０を入れ込むと掛合部２０２の傾斜面２０２ａはこの掛合穴３１の穴縁に接して弾性片２０５は内向きに徐々に撓み込まされる。掛合部２０２の頂部２０２ｃが掛合穴３１の差し込み先側の穴縁を越える位置までこの掛合穴３１に雄パーツ２の雄上部２０が入れ込まれると、弾性片２０５は弾発し掛合部２０２の掛合面２０２ｂがこの穴縁に掛合される。これによりこの掛合面２０２ｂと細長板体２２の上面との間でフランジ部３４を挟み付けるようにして天井パネル３に雄パーツ２が取り付けられる。（図１）この実施の形態にあっては、雄上部２０は雄パーツ２に二箇所設けてあることから、フランジ部３４にはこの二箇所の雄上部２０間のピッチに合わせたピッチで掛合穴３１が形成される。隣り合う掛合穴３１の一方を長穴状をなすように構成させておけば、二箇所の雄上部２０を掛合穴３１に入れ込み易くできる。
【００４３】
かかる雄上部２０は、雄パーツ２に一箇所設けるようにしてあっても、三箇所以上設けるようにしてあっても構わない。すなわち、天井パネル３の一つの縁部３０と一枚の壁パネル４とを接続するための雄パーツ２の数は必要に応じて調整される。
【００４４】
一方、雄下部２１は、前記雌上部１１を構成する一対の壁体１１３、１１３間に上方から入れ込まれ入れ込みきられた位置でこの壁体１１３側に形成された被掛合部１１５に弾発掛合される掛合部２１２を備えたものとなっている。
【００４５】
この実施の形態にあっては、前記細長板体２２の下面に、この細長板体２２の長さ方向に沿って長く続く一対の板体２１１、２１１を、この細長板体２２の巾方向に間隔を開けて備えさせることにより、雄下部２１が形成されている。板体２１１の上端は、細長板体２２の長さ方向に沿った縁部との間に間隔を開けるようにして、この細長板体２２の下面に一体に接合されている。板体２１１の下端であってその外面側には、下方を向いた傾斜面２１２ａと上方を向いた掛合面２１２ｂとを頂部２１２ｃを挟んで備えた掛合部２１２となる隆起部が形成されており、雄下部２１のこの板体２１１の延長方向を雌上部１１の薄肉条部１１２および厚肉条部１１１の延長方向に沿わせる向きから両条部１１１、１１２間に一対の板体２１１、２１１を入れ込みきると前記掛合部２１２と被掛合部１１５とが掛合される。このとき、細長板体２２の縁部２２１は板体２１１の外側において薄肉条部１１２および厚肉条部１１１の上端に突き当たる。（図２）これにより、天井パネル３の縁部３０を構成する立ち上がり部３３と垂下部３５との間に雌パーツ１を入れ込ませた状態での天井パネル３の縁部３０と壁パネル４の上端部４０との接合がなされる。
【００４６】
この実施の形態にかかる接続構造によれば、天井パネル３に形成された掛合穴３１に雄パーツ２の上部をはめ込むことでワンタッチでこの天井パネル３に雄パーツ２を取り付けることができる。そして、壁パネル４に雌下部１０をネジ止めされてこの壁パネル４の上端部４０に取り付けられた雌パーツ１の雌上部１１を構成する一対の壁体１１３、１１３間に雄下部２１を単純に、つまり、正確な位置合わせなどまですることなく、入れ込みきることでワンタッチで天井パネル３と壁パネル４の上端部４０とを接続させることができる。これによって、より容易かつ適切に浴室を構成させることができる。
【００４７】
雌上部１１は壁パネル４の巾方向に亘る長さを持った一対の壁体１１３、１１３より構成され、一方、雄下部２１もこの一対の壁体１１３、１１３と同じ向きに長い一対の板体２１１、２１１によって構成されていることから、両者を壁パネル４の巾方向の広い範囲において掛合させ合わせることができ、壁パネル４と天井パネル３とをズレや傾きなどを生じさせることなく接続させ合わせ続けることができる。
【図面の簡単な説明】
【００４８】
【図１】天井パネル３と壁パネル４とを接続する直前の様子を示した断面図
【図２】天井パネル３と壁パネル４とを接続させた様子を示した断面図
【図３】雌パーツ１の断面図
【図４】雌パーツ１の側面図
【図５】雄パーツ２の側面図
【図６】図５と異なる向きから視た雄パーツ２の側面図
【図７】図５におけるＡ−Ａ線断面図
【図８】雄パーツ２の平面図
【符号の説明】
【００４９】
１  雌パーツ
１０  雌下部
１１  雌上部
１１３  壁体
１１５  被掛合部
２  雄パーツ
２０  雄上部
２１  雄下部
２１２  掛合部
３  天井パネル
４  壁パネル
４０  上端部
【図１】
2008202338.tif 000003
【図２】
2008202338.tif 000004
【図３】
2008202338.tif 000005
【図４】
2008202338.tif 000006
【図５】
2008202338.tif 000007
【図６】
2008202338.tif 000008
【図７】
2008202338.tif 000009
【図８】
2008202338.tif 000010